(57)【要約】【課題】本発明は、検体試料を採取した分析用ディスクを回転させ、流路中に設けた試薬との反応を光学的に分析するようにした分析装置において、様々な流路形状をした種類の異なる分析用ディスクであっても、分析装置の検出器のオフセット調整やゲイン調整を自動で行えるようにする。【解決手段】本発明は分析用ディスク１００のトラックエリア１０１に、調整に関する位置情報、調整レベルの基準値などを記録しておく。この情報を元に分析装置は、光検出器のオフセット、ゲインの調整を分析用ディスク１００の所定のエリア１０２ｄで行うようにする。これにより様々な流路形状の分析用ディスクを分析装置に装着しても、自動で調整ができる。  【選択図】  図１
2005321383.tif 000002
【特許請求の範囲】
【請求項１】
分析すべき検体試料を収集可能な分析エリアと、前記分析エリアに対応したマーキングとを備える分析用ディスクが装着され、
前記装着された分析用ディスクを回転駆動させながら、光ビームを前記分析用ディスクに照射する光学ユニットを、前記分析用ディスクの径方向に対して位置制御を行うとともに、
前記径方向に位置制御された状態で、前記マーキングを検出してから所定のタイミングにおける前記分析エリアからの反射光または透過光を検出することにより、前記検体試料を分析するようにした分析装置であって、
前記分析に先立って、予め分析用ディスクに備えた特定位置を示す位置情報を取得し、取得した前記位置情報に基づき、前記光ピックアップの径方向の位置制御を行い、次いで、前記マーキングを検出してから所定のタイミングの後の前記特定位置において、光検出器のオフセットまたはゲインを調整するようにしたことを特徴とする分析装置。
【請求項２】
請求項１に記載の分析装置において、
前記分析用ディスクには、前記マーキングとは別に、前記分析エリアに複数のトリガマークが形成されており、
前記分析に先立って、予め分析用ディスクに備えた特定位置を示す位置情報を取得し、取得した前記位置情報に基づき、前記光ピックアップの径方向の位置制御を行い、次いで、前記マーキングを検出してから所定のトリガマークを検出した後の前記特定位置において、前記光検出器のオフセットまたはゲインを調整するようにしたことを特徴とする分析装置。
【請求項３】
請求項１または２に記載の分析装置において、前記マーキングまたはトリガマークを、前記光ピックアップにて検出するようにしたことを特徴とする分析装置。
【請求項４】
請求項１または２に記載の分析装置において、前記マーキングまたはトリガマークを検出するための光検出手段を、前記光ピックアップとは別に設けたことを特徴とする分析装置。
【請求項５】
分析すべき検体試料を収集可能な分析エリアと、前記分析エリアに対応したマーキングとを備える分析用ディスクにおいて、
前記分析用ディスクの径方向の位置と、前記マーキングからのタイミングによって特定されるオフセットまたはゲイン調整を行う特定位置を示す位置情報を備えたことを特徴とする分析用ディスク。
【請求項６】
請求項５に記載の分析用ディスクにおいて、前記マーキングとは別に、分析エリアに対応して複数個のトリガマークが形成されており、径方向の位置と、前記マーキングとトリガマークの数とよって特定される特定位置を示す位置情報を備えたことを特徴とする分析用ディスク。
【請求項７】
前記分析用ディスクは、オフセットまたはゲイン調整の基準値や基準範囲を示す調整情報をさらに備えたことを特徴とする請求項５に記載の分析用ディスク。
【請求項８】
請求項５から７のいずれかに記載の分析用ディスクであって、
前記特定位置を示す位置情報やオフセットまたはゲイン調整の基準値や基準範囲を示す調整情報は、バーコードとして備えられていることを特徴とする分析用ディスク。
【請求項９】
請求項５から７のいずれかの分析用ディスクが装着される分析装置であって、前記位置情報または前記調整情報をもとに、オフセットまたはゲイン調整を行うようにしたことを特徴とする請求項１または２に記載の分析装置。
【請求項１０】
請求項８記載の分析用ディスクにおいて、さらに前記分析用ディスクの種別を識別する識別情報を備えたことを特徴とする分析用ディスク。
【請求項１１】
請求項１０に記載の分析用ディスクが装着される分析装置であって、前記識別情報を元に前記分析用ディスクに応じた前記特定位置を示す位置情報や前記調整情報を選択し、前記光検出器のオフセットまたはゲイン調整するようにしたことを特徴とする分析装置。
【請求項１２】
請求項９に記載の分析装置において、前記特定位置を示す位置情報や前記調整情報は、前記分析装置に接続された外部装置より与えられるものであり、その与えられた前記位置情報や前記調整情報に基づき、前記光検出器のオフセットまたはゲイン調整するようにしたことを特徴とする分析装置。
【請求項１３】
請求項９に記載の分析装置において、前記特定位置を示す位置情報や前記調整情報は、前記分析装置内部に設けた記憶手段に記憶され、その記憶された前記特定位置を示す位置情報や前記調整情報に基づき、前記光検出器のオフセットまたはゲイン調整するようにしたことを特徴とする分析装置。
【請求項１４】
分析すべき検体試料を収集可能な分析エリアと、アドレス情報が記録されたトラックを有するトラックエリアと、前記分析エリアに対応したマーキングとを備える分析用ディスクが装着され、
前記装着された分析用ディスクを回転駆動させながら、光ビームを前記分析用ディスクに照射するとともに、前記分析用ディスクからの反射光を、光ピックアップにより検出することで、前記トラックエリアのアドレス情報を取得し、
前記取得したアドレス情報に基づき、前記光ピックアップの前記分析用ディスクの径方向の位置制御を行うとともに、
径方向に位置制御された状態で、前記マーキングを検出してから所定のタイミングにおける前記分析エリアからの反射光または透過光を検出することにより、前記検体試料を分析するようにした分析装置であって、
前記分析に先立って、予め分析用ディスクに記録された特定位置を示す位置情報を取得し、取得した前記位置情報に基づき、前記光ピックアップの径方向の位置制御を行い、次いで、前記マーキングを検出してから所定のタイミングの後の前記特定位置において、光検出器のオフセットまたはゲインを調整するようにしたことを特徴とする分析装置。
【請求項１５】
請求項１４に記載の分析装置において、
前記分析用ディスクには、前記マーキングとは別に、前記分析エリアに複数のトリガマークが形成されており、
前記分析に先立って、予め分析用ディスクに記録された特定位置を示す位置情報を取得し、取得した前記位置情報に基づき、前記光ピックアップの径方向の位置制御を行い、次いで、前記マーキングを検出してから所定のトリガマークを検出した後の前記特定位置において、前記光検出器のオフセットまたはゲインを調整するようにしたことを特徴とする分析装置。
【請求項１６】
請求項１４または１５に記載の分析装置において、前記マーキングまたはトリガマークを、前記光ピックアップにて検出するようにしたことを特徴とする分析装置。
【請求項１７】
請求項１４または１５に記載の分析装置において、前記マーキングまたはトリガマークを検出するための光検出手段を、前記光ピックアップとは別に設けたことを特徴とする分析装置。
【請求項１８】
分析すべき検体試料を収集可能な分析エリアと、アドレス情報が記録されたトラックを有するトラックエリアと、前記分析エリアに対応した位置関係で形成されたマーキングとを備える分析用ディスクにおいて、
前記トラックエリアには、アドレス情報で特定される径方向の位置と、マーキングからのタイミングによって特定されるオフセットまたはゲイン調整を行う位置を示す分析エリア中の特定位置を示す位置情報を備えたことを特徴とする分析用ディスク。
【請求項１９】
請求項１８に記載の分析用ディスクにおいて、前記マーキングとは別に、分析エリア中に複数個のトリガマークが形成されており、前記トラックエリアには、アドレス情報で特定される径方向の位置と、前記マーキングからのトリガマークの数によって特定される特定位置を示す位置情報を備えたことを特徴とする分析用ディスク。
【請求項２０】
前記トラックエリアには、さらに、オフセットまたはゲイン調整の基準値や基準範囲を示す調整情報も含むことを特徴とする請求項１８に記載の分析用ディスク。
【請求項２１】
請求項１８から２０のいずれかに記載の分析用ディスクであって、
前記特定位置を示す位置情報やオフセットまたはゲイン調整の基準値や基準範囲を示す調整情報は、前記分析用ディスクに記録されていることを特徴とする分析用ディスク。
【請求項２２】
請求項１８から２０のいずれかの分析用ディスクが装着される分析装置であって、前記位置情報または前記調整情報をもとに、オフセットまたはゲイン調整を行うようにしたことを特徴とする請求項１４または１５に記載の分析装置。
【請求項２３】
請求項２１記載の分析用ディスクにおいて、さらに前記分析用ディスクの種別を識別する識別情報を備えたことを特徴とする分析用ディスク。
【請求項２４】
請求項２３に記載の分析用ディスクが装着される分析装置であって、前記識別情報を元に前記分析用ディスクに応じた前記特定位置を示す位置情報や前記調整情報を選択し、前記光検出器のオフセットまたはゲイン調整するようにしたことを特徴とする分析装置。
【請求項２５】
請求項２２に記載の分析装置において、前記特定位置を示す位置情報や前記調整情報は、前記分析装置に接続された外部装置より与えられるものであり、その与えられた前記位置情報や前記調整情報に基づき、前記光検出器のオフセットまたはゲイン調整するようにしたことを特徴とする分析装置。
【請求項２６】
請求項２２に記載の分析装置において、前記特定位置を示す位置情報や前記調整情報は、前記分析装置内部に設けた記憶手段に記憶され、その記憶された前記特定位置を示す位置情報や前記調整情報に基づき、前記光検出器のオフセットまたはゲイン調整するようにしたことを特徴とする分析装置。
【発明の詳細な説明】
【技術分野】
【０００１】
本発明は、血液や尿などの検体試料を分析用の光ディスクにセットし、この検体試料をトレースして検体試料中の成分などを分析するようにした分析装置およびこの分析装置に使用する分析用ディスクに関するものである。
【背景技術】
【０００２】
オーディオまたはビデオ情報が記録されたコンパクトディスクとこれを再生する光ディスクドライブの再生機能を用いて、検体試料が配置された分析用ディスクのトラック上をトレースして、分析対象を分析する装置がある（例えば、特許文献１参照）。
【０００３】
まず、光ディスクを応用して検体試料を採取可能に構成した分析用ディスクについて図６を用いて説明する。
図６において、分析用ディスク１００は、オーディオまたはビデオ情報が記録されるような従来の光ディスクの規格に沿って形成したものであり、従来の光ディスクにおけるピット、グルーブなどで形成されるアドレス情報を有するトラックエリア１０１を備えている。また分析用ディスク１００は、血液や尿などの検体試料を分析する分析エリア１０２ａを有しており、検体試料は、分析用ディスク内部に形成した流路１０４に、注入口１０５ａより導入され収集される。流路１０４には、検体試料と反応する試薬を配置することもできる。分析は、図の流路１０４のうちハッチングで示した領域Ａで行われる。
【０００４】
また、分析を行う測定のタイミングは、マーキング１０３ａを検出してからの時間経過によって、領域Ａの位置を特定するようにしている（例えば、特許文献２参照）。
上記のように構成された分析用ディスクを使用する分析装置について図３、図６を用いて説明する。図３において、分析装置は従来の光ディスク装置の構成である光ピックアップ２０、光ピックアップを移動させるトラバースモータ２１、ディスクを回転させるスピンドルモータ２２、これらを制御するためのＣＰＵ２３、サーボコントロール回路２４、光ピックアップ２０からの信号をデータに変換する信号処理回路２５を有する。さらに光ピックアップ２０から照射されたレーザの透過光を検出する光検出器１１、光検出器１１の信号レベルを変更する調整回路１２、検出した信号をＡ／Ｄ変換するＡ／Ｄ変換器１３、Ａ／Ｄ変換されたデータを処理する信号処理回路１４、そのデータを保存するＲＡＭ１６、これらを制御するＣＰＵ１５と分析用ディスク１００に設けられたマーキング１０３ａを検出するフォトセンサ１７から構成されている。
【０００５】
次に、分析用ディスクと分析装置を用いた分析方法について説明する。まず、分析用ディスク１００の注入口１０５ａより分析したい検体試料を注入する。その分析用ディスク１００を分析装置に入れ、従来の光ディスク装置で行われるディスク判別、フォーカス・オン、トラッキング・オンなどのスピンアップ処理を行い、分析用ディスク１００に設けられたトラックをトレース可能状態とする。
【０００６】
検体試料の分析を開始すると、光ピックアップ２０の現在位置と分析エリア１０２ａが存在する位置から移動トラック本数を算出し、算出した移動トラック本数を元に分析エリア１０２ａに光ピックアップ２０の移動を行い、移動した場所からトラックをトレースする。次いで、分析用ディスク１００に設けられているマーキング１０３ａをフォトセンサ１７で検出する。フォトセンサ１７から検出した信号から所定のタイミング後の特定位置で光ピックアップからの透過光を光検出器１１で検出し、Ａ／Ｄ変換器１３でＡ／Ｄ変換し、そのデータをＲＡＭ１６に保存するようにする。この取得したデータを元に分析したい検体試料の分析結果を得ることができる。
【０００７】
ここで、分析したい検体試料毎に検出される信号レベルが異なることや分析用ディスク毎の偏心、偏重心成分によって光検出器１１から検出される信号にバラツキが出てしまう。このため、検出される信号をＡ／Ｄ変換器１３にてデータとして取得できる信号レベルに調整するオフセット、ゲイン調整が必要となる。オフセット調整は、所定の基準値を定め、光検出器１１から取得されるデータをモニタしながら、その基準値に近づけるように信号レベルを調整する調整回路１２のパラメータを変更する。同様にゲイン調整も所定の基準範囲を定め、その基準範囲に近づけるように調整回路１２のパラメータを変更する。
【０００８】
分析用ディスクを様々な分析目的や検体試料に対応するよう構成するには、検体試料が収集される分析エリアの試薬の配置や流路形状等を変更する必要がある。試薬の配置や流路形状が異なれば、上述の光検出器のオフセット、ゲイン調整は、検体試料が存在する位置やディスクによって決められた調整エリア等で行うため分析用ディスクの種類ごとに異なる位置で調整処理を行わなければならない。
【特許文献１】特表平１０―５０４３９７号公報
【特許文献２】特開２００３−２７０１２８号公報
【発明の開示】
【発明が解決しようとする課題】
【０００９】
しかしながら、上記従来の分析装置は、試薬の配置や流路形状が同じ分析用ディスクに対して設計されており、常に同じ位置でのみしか、オフセット、ゲイン調整を行うことができなかった。つまり、様々な分析用ディスクに対してオフセット、ゲイン調整などの調整処理を行うような構成にはなっていなかったので、流路形状の異なる分析用ディスクを作成しようとする場合に、オフセット、ゲイン調整を行うべき流路の位置に制約を受けるため、設計の自由度がなかった。
【００１０】
本発明は、分析対象を検出するための光検出器の調整において、前記従来の課題を解決するもので、様々な分析用ディスクに対して光検出器の調整をひとつの分析装置で実現することを目的とする。
【課題を解決するための手段】
【００１１】
上記従来の課題を解決するために、本発明の分析装置は、分析すべき検体試料を収集可能な分析エリアと、前記分析エリアに対応したマーキングとを備える分析用ディスクが装着され、
前記装着された分析用ディスクを回転駆動させながら、光ビームを前記分析用ディスクに照射する光学ユニットを、前記分析用ディスクの径方向に対して位置制御を行うとともに、
前記径方向に位置制御された状態で、前記マーキングを検出してから所定のタイミングにおける前記分析エリアからの反射光または透過光を検出することにより、前記検体試料を分析するようにした分析装置であって、
前記分析に先立って、予め分析用ディスクに備えた特定位置を示す位置情報を取得し、取得した前記位置情報に基づき、前記光ピックアップの径方向の位置制御を行い、次いで、前記マーキングを検出してから所定のタイミングの後の前記特定位置において、光検出器のオフセットまたはゲインを調整するようにしたことを特徴とするものである。
また、本発明の分析用ディスクは、分析すべき検体試料を収集可能な分析エリアと、前記分析エリアに対応したマーキングとを備える分析用ディスクにおいて、
前記分析用ディスクの径方向の位置と、前記マーキングからのタイミングによって特定される、オフセットまたはゲイン調整を行う特定位置を示す位置情報を備えたことを特徴とするものである。
【発明の効果】
【００１２】
本発明によれば、分析対象を検出するための光検出器の調整を、分析対象に応じた分析用ディスクの所定のエリアで行うようにすることで、従来のように一つの分析用ディスクに対応した分析装置ではなく、様々な分析用ディスクに対し、自動でオフセット、ゲイン調整を行うことができる分析装置と分析用ディスクを提供することができる。
【発明を実施するための最良の形態】
【００１３】
以下に、本発明の実施の形態を図面とともに詳細に説明する。
（実施の形態１）
図１は、実施の形態１における分析用ディスクの平面図であり、図３は、本発明の実施の形態１における分析装置を示す構成図である。
【００１４】
まず、オフセットおよびゲインの調整の概略の流れを説明する。分析用ディスク１００の４つの分析エリア１０２ａ、１０２ｂ、１０２ｃ、１０２ｄに対して、注入口１０５ａ、１０５ｂ、１０５ｃ、１０５ｄより分析したい検体試料を注入し、その分析用ディスク１００を分析装置に装着する。分析装置は、装着された分析用ディスク１００のトラックエリア１０１に記録されている分析用ディスク１００に関する情報を取得する。
【００１５】
この取得した情報には、光検出器１１のオフセット、ゲイン調整を実行する位置情報（調整エリアの情報）が含まれている。位置情報は主に分析用ディスク１００の径方向へ光ピックアップ２０を移動させる移動量や分析エリアの開始位置を示すマーキング１０３ａ、１０３ｂ、１０３ｃ、１０３ｄを検出してから分析領域Ａ、Ｂ、Ｃ、Ｄが存在するまでの所定の時間などである。この位置情報を元に分析用ディスクの特定位置でオフセット、ゲイン調整を行う。
【００１６】
また、分析用ディスク１００に記録されている情報には、位置情報に加えてオフセット、ゲイン調整を行う所定の基準値や所定の基準範囲などの調整情報も含まれており、分析装置は、これらの情報も取得し、この情報を元に光検出器１１の調整を行うことで、それぞれの分析用ディスクに応じたオフセット、ゲイン調整を実現することが可能となる。
【００１７】
ここで、オフセット、ゲイン調整は分析用ディスク１００に検体試料が入った状態で行うが、これは検体試料の分析を検体試料がディスクに入った状態で行われるためであり、この状態でオフセット、ゲイン調整を行う必要があるからである。
【００１８】
ここで具体例としてオフセット調整のみを行う分析用ディスクの場合を例にあげて詳細に説明する。
分析用ディスク１００の４つの分析エリア１０２ａ、１０２ｂ、１０２ｃ、１０２ｄにおいて、それぞれ分析を行う領域であるＡ、Ｂ、Ｃ、ＤのうちＡ、Ｂ、Ｃは検体試料と反応する試薬が配置されており、Ｄのみ試薬を配置しないようにする。領域Ｄは、この分析用ディスク１００のオフセット調整を行う位置として、分析用ディスク１００のトラックエリア１０１に情報として記録されている。
【００１９】
ここで、オフセット調整を行う位置である領域Dに試薬を配置していないのは、検体試料と試薬の反応を分析する、例えば色素の変化で分析する場合、検体試料のみを基準とし、その基準の場所でオフセット調整を行う必要があるからである。
【００２０】
分析装置は、この領域Ｄで、調整回路１２のオフセット調整用パラメータを変更し、光検出器１１の信号レベルを所定の基準値に合わせる処理を行う。なお、ゲイン調整は、分析対象が色素の変化である場合、分析領域Ａ、Ｂ、Ｃのそれぞれの領域で起こる反応はそれぞれの領域全体で均一に変化していることから特に必要としない。よって、これで調整処理を終了し、分析を開始する。
【００２１】
分析方法は、試薬と反応した検体試料が存在するＡ、Ｂ、Ｃの領域において光検出器１１の信号レベルをＡ／Ｄ変換し、データとして取得する。取得したデータから分析したい検体試料と試薬の反応を分析することができる。
（実施の形態２）
図２は、実施の形態２における分析用ディスクの平面図を示す。実施の形態１で示した分析用ディスクと実質的に同様の構成については、同じ符号を付して説明を略する。なお実施の形態１で説明した分析用ディスクと異なる点は、分析エリアそれぞれにおいて、複数の異なる分析を行えるようにした点と、各分析エリアにおいて、分析エリアの開始位置を示すマーキングの他にトリガマークを形成した点である。また分析装置は、実施の形態１と同様、図３に示した装置を使用できる。
【００２２】
図２において、分析用ディスク２００のそれぞれのトリガマーク１０６は、分析エリア１０２ａに存在する検体試料と反応する様々な試薬に対応した位置に配置されており、このトリガマーク１０６を元に試薬が存在する位置を特定することができる。
【００２３】
分析用ディスク２００に記録されている情報は、実施の形態１でも説明したものとほぼ同様であり、調整エリアの位置情報やオフセット、ゲイン調整の所定の基準値や所定の基準範囲である。ただ異なる点は調整エリアの位置情報に関して、図２の分析用ディスクは、前述にも述べたように試薬に対応したトリガマーク１０６を設けたディスクであるため、図１の分析用ディスクのように分析エリアの開始位置を示すマーキング１０３ａを検出してから分析領域が存在するまでの所定の時間に関する位置情報は必要なく、トリガマーク１０６の位置を特定するための情報が記録されている。この分析用ディスク２００に記録されているオフセット、ゲイン調整に関する情報を元に実施の形態１と同様、光検出器１１のオフセット、ゲイン調整を実現することが可能となる。
【００２４】
次に、図２の分析用ディスク２００のオフセット、ゲインの調整方法について説明する。この分析用ディスク２００は、検体試料中の細胞と試薬を反応させ、目的細胞を任意の場所（つまり、それぞれの試薬の位置）に吸着させ、その数をカウントすることで分析を行うものとして説明する。
【００２５】
注入口１０５ａより血液試料を注入してディスクを回転させると、試料は流路１０４に順にＡａ、Ａｂ、Ａｃへと移送されて行き、そして、その末端まで展開する。分析を行う領域のうち、Ａａは目的細胞と反応しない試薬を形成してあり、Ａｂは目的細胞と必ず反応する試薬を形成してあり、Ａｃは目的細胞の反応を分析するための試薬を形成していることから細胞と試薬の様々な反応を分析することができる。
【００２６】
ここで、目的細胞と反応しない試薬が存在する領域Ａａをオフセット調整エリアとするが、領域Ａａをオフセット調整エリアとするのは、この部分を検体試料と試薬の反応を分析するための基準とするからである。この位置で、調整回路１２のパラメータを変更し、光検出器１１の信号レベルを所定の基準値に合わせる。
【００２７】
次にゲイン調整は、目的細胞と必ず反応する試薬が存在する領域Ａｂをゲイン調整エリアとする。ここで、領域Ａｂをゲイン調整エリアとするのは、ゲイン調整を行う位置に必ず目的細胞が存在していなければ、正常にゲイン調整を行えないからである。この領域Ａｂを光検出器１１で検出すると目的細胞が存在する場所ではオフセット調整で調整した基準値から大きく変化した信号レベルが検出される。この変化量が所定の基準範囲に入るように調整回路１２のパラメータを変更し、ゲイン調整を行う。こうすることで、オフセット、ゲイン調整が完了し、最終的に領域Ａｃを光検出器１１で検出することで細胞と試薬との反応を分析することができる。
【００２８】
また、この分析用ディスク２００は、分析エリア１０２ｂ、１０２ｃ、１０２ｄで上記と同様の分析を行うことができ、この１枚の分析用ディスクで、４回分析することが可能である。
（実施の形態３）
図４は、実施の形態３における分析用ディスクの平面図を示す。実施の形態２で示した分析用ディスクと実質的に同様の構成については、同じ符号を付して説明を略する。なお実施の形態２で説明した分析用ディスクと異なる点は、実施の形態２で説明したトラックエリア１０１がなく、分析用ディスクに関する情報である位置情報や調整情報、分析用ディスクの種別を識別する識別情報を分析用ディスクに備えたバーコード１０７に設けたことや、分析用ディスク内の一部に設けた凹部を分析エリアに対応したマーキングとすることや、トリガーマークを分析領域に配置した点である。
【００２９】
また図５は、実施の形態３における分析装置を示す構成図である。実施の形態１で示した分析装置と実質的に同様の構成については、同じ符号を付して説明を略する。なお実施の形態１で説明した分析装置と異なる点は、光ピックアップの基準位置を示す位置検出用スイッチ３０を設けたことや、バーコードから情報を取得するためのバーコードデコード回路３１を設けたことや、分析装置とホストコンピュータ３２の送受信を可能とするインターフェイス３３を設けたことや、分析装置内の記憶領域として、ＲＯＭ３４を設けた点である。
【００３０】
分析用ディスク３００の所定の位置に配置されたバーコード１０７は、光ピックアップ２０をバーコード１０７が存在する位置に位置制御を行い、光検出器１１から検出される透過光の信号をバーコードデコード回路３１にてデータ変換し、ＣＰＵ１５において分析用ディスクに関する情報に変換する。
【００３１】
ここで、光ピックアップ２０の位置制御は、まず光ピックアップ２０の基準位置を示す位置検出用スイッチ３０をＣＰＵ２３が検出するまで移動させ、その基準位置から所定の移動量だけ移動させることで実現する。特にトラバースモータ２１が目的位置の移動に適したモータであるステッピングモータであれば、より精度の高い位置制御が実現できる。
【００３２】
バーコード１０７から取得した分析用ディスク３００に関する情報は、実施の形態２でも説明したものとほぼ同様であり、調整エリアの位置情報やオフセット、ゲイン調整の所定の基準値や所定の基準範囲を示す調整情報である。ただ異なる点は調整エリアの径方向の位置情報に関して、前述した光ピックアップ２０の基準位置からの移動量となる点である。この分析用ディスク３００に備えたバーコード情報から実施の形態２と同様、光検出器１１のオフセット、ゲイン調整を実現することが可能となる。
【００３３】
図４に示す分析用ディスク３００において、分析エリア１０２aに対応したマーキング１０３aやトリガマーク１０６の検出は、実施の形態１や実施の形態２と異なり、光ピックアップ２０と光検出器１１によって検出する。
【００３４】
具体的に説明すると分析エリア１０２aに対応したマーキング１０３aは凹部である。光ピックアップ２０からレーザ光を分析用ディスク３００内の一部に設けたその凹部に照射し、その透過光を光検出器１１で信号として取得する場合、その透過光は、凹部の影響により光の屈折や反射条件が変化することで光検出器１１から検出される信号に変化が生じることから、この信号をマーキング信号として検出する。
【００３５】
また、トリガマーク１０６は、実施の形態２のトリガマーク１０６と配置場所や形状が異なるが、分析用ディスク３００表面に印刷されたものという点は同様であり、印刷部分が透過光をさえぎるため、透過光を検出する光検出器１１の信号に変化が生じ、トリガマーク信号として検出される。
【００３６】
分析用ディスク３００から取得される位置情報や調整情報を元に光ピックアップ２０の基準位置からの位置制御やマーキング、トリガマークを検出することで、分析用ディスク３００の特定位置での光検出器１１のオフセット、ゲイン調整を実現することが可能となる。
【００３７】
分析用ディスク３００のオフセット、ゲインの調整方法についての説明は、実施の形態２と同じであるため省略する。
分析用ディスク３００から取得する情報として、分析用ディスク３００の種別を識別する識別情報を設けることで、調整エリアに関する位置情報や調整情報を分析装置や分析装置と接続された外部装置に記憶させ、分析用ディスクに応じた調整エリアに関する位置情報や調整情報を識別情報を用いて取得することができる。
【００３８】
具体的には、分析装置はバーコード１０７から取得した分析用ディスクの種別を識別する識別情報をホストコンピュータ３２ヘインターフェイス３３を介して送信し、識別情報を元に調整エリアに関する位置情報や調整情報をホストコンピュータ３２より受信する。この情報を元に分析用ディスクの特定位置での光検出器１１のオフセット、ゲイン調整を実現することが可能となる。
【００３９】
また、分析装置のＲＯＭ３４に分析用ディスク毎の調整エリアに関する位置情報や調整情報を記録しておき、バーコード１０７から取得した分析用ディスクの種別を識別する識別情報を元に調整エリアに関する位置情報や調整情報を選択するようにすることで、分析用ディスクの特定位置での光検出器１１のオフセット、ゲイン調整を実現することも可能となる。
【００４０】
前述する分析用ディスクに応じた調整エリアに関する位置情報や調整情報の取得方法は、分析用ディスクの種別を識別する識別情報を実施の形態１や実施の形態２で説明したトラックエリアに記録しておくことで、実施の形態１や実施の形態２にも同様の取得方法を実現することもできる。
【産業上の利用可能性】
【００４１】
本発明にかかる分析装置は、分析対象を検出するための光検出器の調整を、分析対象に応じた分析用ディスクの所定のエリアで行うようにすることで、様々な分析用ディスクの調整に対応した分析装置と分析用ディスクを提供することができる。
【図面の簡単な説明】
【００４２】
【図１】本発明の実施の形態１における分析用ディスクの平面図である。
【図２】本発明の実施の形態２における分析用ディスクの平面図である。
【図３】本発明の実施の形態１、２における分析装置を示す構成図である。
【図４】本発明の実施の形態３における分析用ディスクの平面図である。
【図５】本発明の実施の形態３における分析装置を示す構成図である。
【図６】従来の分析用ディスクを示す平面図である。
【符号の説明】
【００４３】
１１        光検出器
１７        フォトセンサ
２０        光ピックアップ
２１        トラバースモータ
２２        スピンドルモータ
３０        位置検出用スイッチ
３３        インターフェイス
１００      分析用ディスク
１０１      トラックエリア
１０２ａ    分析エリア
１０２ｂ    分析エリア
１０２ｃ    分析エリア
１０２ｄ    分析エリア
１０３ａ    マーキング
１０３ｂ    マーキング
１０３ｃ    マーキング
１０３ｄ    マーキング
１０４      流路
１０５ａ    注入口
１０５ｂ    注入口
１０５ｃ    注入口
１０５ｄ    注入口
１０６      トリガマーク
１０７      バーコード
２００      分析用ディスク
３００      分析用ディスク
Ａ          分析領域
Ｂ          分析領域
Ｃ          分析領域
Ｄ          分析領域
Ａａ        試薬配置領域
Ａｂ        試薬配置領域
Ａｃ        試薬配置領域
【図１】
2005321383.tif 000003
【図２】
2005321383.tif 000004
【図３】
2005321383.tif 000005
【図４】
2005321383.tif 000006
【図５】
2005321383.tif 000007
【図６】
2005321383.tif 000008